(57)【要約】【課題】ヒューズエレメント部を直接樹脂によりモールドしないことにより、ヒューズの溶断性の信頼性を向上する。【解決手段】両側に電線接続部２８を設けていると共に該両側の電線接続部２８に挟まれた中間部に部分的に細幅としたヒューズエレメント部２１を一体的に設けている導電性金属板からなるヒューズ一体型端子材２０を設け、ヒューズエレメント部２１をコ字状に取り囲み、該コ字状の両側でヒューズエレメント部２１の両端と電線接続部２８との間の連結部２３、２４をモールドしている樹脂製の補強ケース３０を設け、ヒューズ一体型端子材２０の両側の電線接続部２８に夫々電線ｗを圧着、圧接あるいは溶接で接続している。【選択図】  図１
2004319395.tif 000002
【特許請求の範囲】
【請求項１】
両側に電線接続部を設けていると共に該両側の電線接続部に挟まれた中間部に部分的に細幅としたヒューズエレメント部を一体的に設けている導電性金属板からなるヒューズ一体型端子材を設け、
上記ヒューズエレメント部をコ字状に取り囲み、該コ字状の両側でヒューズエレメント部の両端と電線接続部との間の連結部をモールドしている樹脂製の補強ケースを設け、
上記ヒューズ一体型端子材の両側の電線接続部に夫々電線を圧着、圧接あるいは溶接で接続していることを特徴とするヒューズ付き電線。
【請求項２】
上記ヒューズエレメント部に透明の保護カバーを被せている請求項１に記載のヒューズ付き電線。
【請求項３】
上記ヒューズエレメント部を除き、上記ヒューズエレメント部の両側の連結部から電線接続部にかけて保護チューブを被せている請求項１または請求項２に記載のヒューズ付き電線。
【発明の詳細な説明】
【０００１】
【発明の属する技術分野】
本発明は、ヒューズ付き電線に関し、詳しくは、電線同士をヒューズ一体型端子材で接続するものである。
【０００２】
【従来の技術】
従来、電線間にヒューズを設けた電線として、本出願人は、特開２００１−５２５９１号において、図９に示す電線付きヒューズ１を提供している。該電線付きヒューズ１は、ヒューズエレメント部を保護部材によりモールドしたヒューズ本体２から突出した端子３の先端に金属板を湾曲形成してなる圧着バレル４を備え、該圧着バレル４に電線ｗが圧着される。
【０００３】
【特許文献１】
特開２００１−５２５９１号公報
【０００４】
【発明が解決しようとする課題】
しかしながら、上記電線付きヒューズ１であると、ヒューズエレメント部を保護部材によりモールドしているので、電流が流れることにより発生した熱がモールド樹脂の溶融に使われて、ヒューズ１自体の温度が上昇しにくくなる。これにより、ヒューズ１に許容範囲を超える過電流が流れているにもかかわらず、ヒューズ１のヒューズエレメント部が溶断されず、ヒューズ溶断の信頼性が悪いという問題がある。
【０００５】
本発明は上記問題に鑑みてなされたものであり、ヒューズエレメント部を直接樹脂によりモールドしないことにより、ヒューズの溶断性の信頼性を向上することを課題としている。
【０００６】
【課題を解決するための手段】
上記課題を解決するため、本発明は、両側に電線接続部を設けていると共に該両側の電線接続部に挟まれた中間部に部分的に細幅としたヒューズエレメント部を一体的に設けている導電性金属板からなるヒューズ一体型端子材を設け、
上記ヒューズエレメント部をコ字状に取り囲み、該コ字状の両側でヒューズエレメント部の両端と電線接続部との間の連結部をモールドしている樹脂製の補強ケースを設け、
上記ヒューズ一体型端子材の両側の電線接続部に夫々電線を圧着、圧接あるいは溶接で接続していることを特徴とするヒューズ付き電線を提供している。
【０００７】
上記ヒューズ一体型端子材は、１枚の導電性金属板を打ち抜いて形成し、電線接続部が電線を圧着接続するタイプでは、バレルを折り曲げて形成している。
上記のように、補強ケースはヒューズエレメント部にモールドせず、ヒューズエレメント部の両側で連結部にモールドしているため、ヒューズエレメント部に過電流が流れたときに、モールド樹脂に熱を奪われることがなく、ヒューズ溶断の信頼性を向上させることができると共に、ヒューズエレメント部の補強も図ることができる。
【０００８】
上記ヒューズエレメント部に透明の保護カバーを被せている。
上記構成とすると、ヒューズエレメント部が溶断しているか否かを外部から目視することができる。
【０００９】
上記ヒューズエレメント部を除く部分は、上記ヒューズエレメント部の両側の連結部から電線接続部にかけて保護チューブを被せている。
【００１０】
上記ヒューズ一体型端子材に上記補強ケースを設ける方法は、該補強ケース成形前までは、ヒューズエレメント部を挟むように入れ子を取り付けて、この状態で金型内に挿入し、上記入れ子によりヒューズエレメント部には樹脂が充填されないようにし、該ヒューズエレメント部の両側の上記連結部を樹脂モールドすると共にヒューズエレメント部の一側外方に連結樹脂部を形成するように樹脂を金型内に充填し、上記コ字状の補強ケースを成形している。該補強ケースの成形後には上記入れ子を除去して、前記透明保護カバーを被せている。
【００１１】
【発明の実施の形態】
以下、本発明の実施の形態を図面を参照して説明する。
図１乃至図６は、本発明の第１実施形態を示す。
図１は、ヒューズ付き電線１０の内部構造を示す概略図であり、該ヒューズ付き電線１０は自動車に搭載するバッテリーとリレーボックスの間に配線するものである。
【００１２】
図２は、ヒューズ付き電線１０のヒューズ部を構成するヒューズ一体型端子材２０を示す。該ヒューズ一体型端子材２０は導電性金属板からなり、長さ方向の中間部分を細幅としてヒューズエレメント部２１を設け、該ヒューズエレメント部２１を側方に向けて凸状に屈曲すると共に、突出させた中間部分をさらに細幅として溶断部２２を設けている。ヒューズ一体型端子材２０の両端部には、電線ｗの絶縁被覆ｗ１に圧着する絶縁被覆圧着バレル２６と芯線ｗ２に圧着する芯線圧着バレル２７をそれぞれ設けて電線接続部２８としている。ヒューズエレメント部２１の両端と電線接続部２８との間を、ヒューズエレメント部２１と電線接続部２８を連結する連結部２３、２４とし、該連結部２３、２４間にはヒューズエレメント部補強用の保護バー２５をヒューズ一体型端子材２０の幅方向両側に架け渡している。また、ヒューズ一体型端子材２０は、該ヒューズ一体型端子材２０の長さ方向中央部分を上方に屈曲させて段状部２９を設け、該段状部２９にヒューズエレメント部２１と連結部２３、２４を設けている。
【００１３】
図５（Ｂ）に示す樹脂成形よりなる補強ケース３０は、ヒューズ一体型端子材２０のヒューズエレメント部２１をコ字状に取り囲み、該コ字状の両側３０ａ、３０ｂで連結部２３、２４をモールドし、樹脂連結部３０ｃにより両側３０ａ、３０ｂを連結している。補強ケース３０は該補強ケース３０のコ字状に沿って連続するリブ３１を備え、該リブ３１は補強ケース３０の上下両面から上下方向に突出するリブを補強ケース３０の側面から側方に向けて突出するリブにより連結してなる。該リブ３１の内面側をカバー取付部３２とすると共に、リブ３１のヒューズ一体型端子材２０の長さ方向両側に保護チューブ４０を係止するための凹部３３を周設している。
【００１４】
図３に示す断面コ字状の保護カバー４０は補強ケース３０のカバー取付部３２に取り付けるもので、透明な樹脂成型品としている。
【００１５】
図４に示す保護チューブ５０は、ヒューズ一体型端子材２０の連結部２３、２４から電線接続部２８にかけて被せるもので、両端開口の円筒状であり、一端側に拡径部５１を設けている。拡径部５１側の端部を内方に屈曲して補強ケース３０の凹部３３に係止する係止部５２としている。
【００１６】
次に、ヒューズ付き電線１０の製造方法について説明する。
先ず、図５（Ａ）に示すように、ヒューズエレメント部２１を挟むように入れ子４２を取り付け、この状態でヒューズ一体型端子材２０を金型内に挿入する。金型に樹脂を充填する際には、上記入れ子４２によりヒューズエレメント部２１には樹脂が充填されないようにし、ヒューズエレメント部２１の両側の連結部２３、２４を樹脂モールドすると共に、ヒューズエレメント部２１の一側外方に連結樹脂部３０ｂを形成して、図５（Ｂ）に示す補強ケース３０をヒューズ一体型端子材２０に一体的に形成し、入れ子４２を取り外す。
次いで、図５（Ｃ）に示すように、連結部２３、２４に架け渡して設けていた保護バー２５を、その基部側で切断しヒューズ一体型端子材２０から取り除く。
【００１７】
次いで、図６（Ａ）に示すように、補強ケース３０のカバー取付部３２にヒューズエレメント部２１を覆うように保護カバー４０を取り付ける。その後、ヒューズ一体型端子材２０の両端に設けた絶縁被覆圧着バレル２６を電線ｗの絶縁被覆ｗ１に、芯線圧着バレル２７を芯線ｗ２にかしめ圧着して、ヒューズ一体型端子材２０の両端に電線ｗを接続する。
最後に、図６（Ｂ）に示すように、保護チューブ５０の拡径部５１側の開口から電線ｗを挿入し、保護チューブ５０の係止部５２を補強ケース３０の凹部３３に挿入係止して、連結部２３、２４から電線接続部２８にかけて保護チューブ５０を被せている。
【００１８】
上記構成とすると、補強ケース３０はヒューズエレメント部２１にモールドせず、ヒューズエレメント部２１の両側の連結部２３、２４に樹脂モールドしているため、ヒューズエレメント部２１に過電流が流れたときに、モールド樹脂に熱を奪われることがなく、ヒューズ溶断の信頼性を向上させることができる。
上記ヒューズ一体型端子材２０のヒューズエレメント部２１には透明の保護カバーを被せているので、ヒューズエレメント部２１の溶断部２２が溶断しているか否かを外部から目視することができる。
【００１９】
また、ヒューズ一体型端子材２０と上記電線ｗの接続部を保護チューブ５０により保護しているので、電気接続の信頼性を向上させることができる。
さらに、ヒューズ一体型端子材２０を樹脂によりモールドして補強ケース３０を形成するまでは、ヒューズエレメント部２１の両側をヒューズ一体型端子材２０に一体的に設けた保護バー２５により連結しているので、ヒューズ一体型端子材２０を樹脂によりモールドして補強ケース３０を形成するまでは、外部からの負荷によりヒューズエレメント部２１が切断されるおそれがない。
【００２０】
図７は、本発明の第２実施形態のヒューズ付き電線１０’を示し、第１実施形態のヒューズ付き電線１０とは、ヒューズ一体型端子材２０’と電線ｗの接続部を相違させている。第２実施形態のヒューズ一体型端子材２０’は両端に圧接端子２６’を備え、該圧接端子２６’の先端よりスロット２６ａ’を切り込んで圧接刃２６ｂ’を設けている。圧接端子２６’の圧接刃２６ｂ’で電線の絶縁被覆ｗ１を切断して芯線ｗ２と圧接接続している。
【００２１】
上記構成としても、第１実施形態と同様の効果を得ることができ、ヒューズ溶断の信頼性を向上させることができる。
なお、他の構成は第１実施形態と同様のため説明を省略する。
【００２２】
図８は、本発明の第３実施形態のヒューズ付き電線１０”を示し、ヒューズ一体型端子材２０’の両端に電線ｗを溶接により接続している。
上記構成としても、第１実施形態と同様の効果を得ることができ、ヒューズ溶断の信頼性を向上させることができる。
なお、他の構成は第１実施形態と同様のため説明を省略する。
【００２３】
【発明の効果】
以上の説明より明らかなように、本発明によれば、電線間に設けたヒューズエレメント部を樹脂によりモールドせず、ヒューズエレメント部の両側で連結部にモールドしているため、ヒューズエレメント部に過電流が流れたときに、モールド樹脂の溶融に熱を奪われることがない。これにより、所定の過電流が流れたときにヒューズエレメント部が溶断されるので、ヒューズ溶断の信頼性を向上させることができる。
【００２４】
また、ヒューズ一体型端子材のヒューズエレメント部に透明の保護カバーを被せると、ヒューズエレメント部が溶断しているか否かを外部から目視により知ることができる。
【図面の簡単な説明】
【図１】本発明の第１実施形態のヒューズ付き電線を示し、（Ａ）は内部構造を示す概略平面図、（Ｂ）は内部構造を示す概略正面図である。
【図２】ヒューズ一体型端子材を示し、（Ａ）は平面図、（Ｂ）は正面図である。
【図３】保護カバーの斜視図である。
【図４】保護チューブを示し、（Ａ）は斜視図、（Ｂ）はＩ−Ｉ線断面図である。
【図５】（Ａ）〜（Ｃ）は補強ケースを形成する工程を示す図面である。
【図６】（Ａ）（Ｂ）はヒューズ一体型端子材と電線の接続工程を示す図面である。
【図７】本発明の第２実施形態のヒューズ付き電線を示し、（Ａ）は内部構造を示す概略平面図、（Ｂ）は内部構造を示す概略正面図、（Ｃ）は圧接端子の要部拡大図である。
【図８】本発明の第３実施形態のヒューズ付き電線を示し、（Ａ）は内部構造を示す概略平面図、（Ｂ）は内部構造を示す概略正面図である。
【図９】従来例を示す図面である。
【符号の説明】
１０  ヒューズ付き電線
２０  ヒューズ一体型端子材
２１  ヒューズエレメント部
２２  溶断部
２３、２４  連結部
２５  保護バー
２６  絶縁被覆圧着バレル
２７  芯線圧着バレル
２８  電線接続部
３０  補強ケース
３１  リブ
３２  カバー取付部
３３  凹部
４０  保護カバー
４２  入れ子
５０  保護チューブ
ｗ  電線
【図１】
2004319395.tif 000003
【図２】
2004319395.tif 000004
【図３】
2004319395.tif 000005
【図４】
2004319395.tif 000006
【図５】
2004319395.tif 000007
【図６】
2004319395.tif 000008
【図７】
2004319395.tif 000009
【図８】
2004319395.tif 000010
【図９】
2004319395.tif 000011